(57)【特許請求の範囲】
【請求項１】
建物内で周囲が壁部によって囲われた第１室と、
前記第１室の屋外側の壁部に形成された開口部を開閉可能とする屋外扉と、
前記屋外扉を開閉する屋外側開閉手段と、
前記第１室と前記建物内の第２室との間に設けられ、開放されることにより前記第１室の空間と前記第２室の空間とを繋ぐ屋内扉と、
前記屋内扉を開閉する屋内側開閉手段と、
少なくとも前記第１室内の空気を屋外へ排出することにより第１室内の換気を行う換気手段と、
前記第１室内の湿度を検出する屋内湿度検出手段と、
屋外の湿度を検出する屋外湿度検出手段と、
前記屋内湿度検出手段により検出された屋内湿度、前記屋外湿度検出手段により検出された屋外湿度及び予め設定された基準湿度に基づいて、前記第１室の湿度が前記基準湿度となるように、換気手段、及び前記屋外側開閉手段の作動を制御し、前記屋内湿度及び前記基準湿度に基づいて、前記屋内側開閉手段の作動を制御することで、前記第１室と屋外との通気、及び前記第１室と前記第２室との通気を制御する制御手段と、
を含む建物用換気システム。
【請求項２】
前記屋外扉により開閉される前記開口部に対向して前記第１室内に洗濯物の室内乾燥スペースが設けられ、前記屋内湿度検出手段が、前記室内乾燥スペースの所定位置の湿度を検出する、請求項１記載の建物用換気システム。
【請求項３】
前記制御手段は、前記屋内湿度が前記屋外湿度を超えているときに、前記屋外扉を開放するように前記屋外側開閉手段を作動させる請求項１又は請求項２記載の建物用換気システム。
【請求項４】
前記制御手段は、前記屋内湿度が前記屋外湿度以下であるときに、前記屋外扉を閉じるように前記屋外側開閉手段を作動させる請求項１又は請求項２記載の建物用換気システム。
【請求項５】
前記制御手段は、前記屋内湿度が前記基準湿度を超えているときに、前記換気手段を作動させる請求項１から請求項４の何れか１項記載の建物用換気システム。
【請求項６】
前記制御手段は、前記屋内湿度が前記基準湿度以下であるときに、前記屋内扉を開くように前記屋内側開閉手段を作動させる請求項１から請求項５の何れか１項記載の建物用換気システム。
【請求項７】
前記制御手段は、前記屋内湿度が前記基準湿度を超えているときに、前記屋内扉を閉じるように前記屋内側開閉手段を作動させる請求項１から請求項５の何れか１項記載の建物用換気システム。
【請求項８】
前記第２室が前記第１室より広い空間とされ、前記第１室と前記第２室との間に衣類が収納される収納室が設けられ、前記屋内扉が、前記第１室と前記収納室との間の位置、及び前記収納室における前記第２室を臨む位置に設けられている、請求項１から請求項７の何れか１項記載の建物用換気システム。
【請求項９】
前記屋外扉が、複数のスラットのそれぞれを支軸回りに回動させることにより前記開口部を所定開度に開閉させるシャッタである請求項１から請求項８の何れか１項記載の建物用換気システム。
【請求項１０】
前記制御手段が、前記建物のエネルギー管理を行う管理装置である請求項１から請求項９の何れか１項記載の建物用換気システム。
【請求項１１】
前記第１室の前記開口部が前記建物の南に面した壁面に形成されている請求項１から請求項１０の何れか１項記載の建物用換気システム。
【発明の詳細な説明】
【技術分野】
【０００１】
本発明は、住宅などの建物内の換気を行う建物用換気システムに関する。
【背景技術】
【０００２】
一般に、洗濯機は屋内に設置され、洗濯機で洗濯した衣類などの洗濯物は、屋外へ運ばれて干され、また、乾燥した洗濯物は屋外の物干し場から屋内に運ばれて畳まれる。このような洗濯作業の効率化を図るために、特許文献１では、洗濯物を掛ける物干し部を屋内と屋外との間で移動可能とし、洗濯物を掛ける作業や取り込む作業を屋内で行うことができるようにした物干し装置を提案している。
【０００３】
一方、雨天時には、屋外に洗濯物を干すことができない。ここから、建物内に乾燥機能を持たせた部屋（以下、乾燥室とする）を設けることにより、屋内で洗濯物を乾燥することができる。このような室内乾燥機において、乾燥効率の向上を図る各種の提案がなされている。（例えば、特許文献２、特許文献３、特許文献４参照。）。
【０００４】
さらに、特許文献５では、乾燥機に加湿機能を持たせることにより、乾燥室をサウナとして使用可能とする提案がなされている。
【先行技術文献】
【特許文献】
【０００５】
【特許文献１】特開２００３−３８８９６号公報
【特許文献２】特開２０１０−１２０００号公報
【特許文献３】特開２０１０−１４３２６号公報
【特許文献４】特開２００８−６１７３３号公報
【特許文献５】特開２０１０−６３５２３号公報
【発明の開示】
【発明が解決しようとする課題】
【０００６】
ところで、室内で洗濯物を乾燥する場合、その室内の湿度が高くなるため、通気をすることが好ましい。また、住宅に限らず建物では、内部に空気がこもってしまうことは好ましくない。ここから、建物では、窓や外扉を開けて、通風を取ることが考えられる。
【０００７】
しかしながら、窓などを開けて外気を導入しようとしても、雨天などのために外気の湿度が高いと所望の効果が得られなくなってしまうのみならず、通風を取ることが湿度の面において逆効果となってしまうという問題がある。
【０００８】
本発明は上記事実に鑑みてなされたものであり、住宅などの建物内の湿度を考慮した換気や通気を行う建物用換気システムを提供することを目的とする。
【課題を解決するための手段】
【０００９】
上記目的を達成するための請求項１の発明は、建物内で周囲が壁部によって囲われた第１室と、前記第１室の屋外側の壁部に形成された開口部を開閉可能とする屋外扉と、前記屋外扉を開閉する屋外側開閉手段と、前記第１室と前記建物内の第２室との間に設けられ、開放されることにより前記第１室の空間と前記第２室の空間とを繋ぐ屋内扉と、前記屋内扉を開閉する屋内側開閉手段と、少なくとも前記第１室内の空気を屋外へ排出することにより第１室内の換気を行う換気手段と、前記第１室内の湿度を検出する屋内湿度検出手段と、屋外の湿度を検出する屋外湿度検出手段と、前記屋内湿度検出手段により検出された屋内湿度、前記屋外湿度検出手段により検出された屋外湿度及び予め設定された基準湿度に基づいて、前記第１室の湿度が前記基準湿度となるように、換気手段、及び前記屋外側開閉手段の作動を制御し、前記屋内湿度及び前記基準湿度に基づいて、前記屋内側開閉手段の作動を制御することで、前記第１室と屋外との通気、及び前記第１室と前記第２室との通気を制御する制御手段と、を含む。
【００１０】
請求項１に記載の発明によれば、建物内の第１室と第２室との間に内扉を設けると共に、第１室の屋外側の開口部に屋外扉を設け、屋外扉を開放することにより第１室と屋外との間の通気が可能となり、屋内扉を開放することにより、第１室と第２室との間の通気が可能となるようにしている。
【００１１】
基準湿度は、例えば人が快適と感じる湿度であり、制御手段は、屋内湿度、屋外湿度及び基準湿度に基づいて換気手段、及び屋外側開閉手段を作動させ、屋内湿度及び基準湿度に基づき屋内側開閉手段を作動させる。
【００１２】
これにより、第１室の換気、第１室と屋外との通気、第２室と第１室との通気が行われれば、第１室を基準湿度に近づけることができる。即ち、第１室の湿度が基準湿度となるように換気手段及び屋外側開閉手段を制御することで、第１室の換気、及び第１室と屋外との通気を行うことができ、また、屋内側開閉手段を制御することで、第１室と第２室との通気又は第１室を経た第２室と屋外との間の通気を行うことができる。
【００１３】
請求項２の発明は、請求項１の発明において、前記屋外扉により開閉される前記開口部に対向して前記第１室内に洗濯物の室内乾燥スペースが設けられ、前記屋内湿度検出手段が、前記室内乾燥スペースの所定位置の湿度を検出する。
【００１４】
請求項２に記載の発明によれば、第１室を所謂室内干しの行われる乾燥室とし、乾燥スペースの所定位置（例えば洗濯物の近傍）に屋内湿度検出手段を設けている。洗濯物の乾燥時の湿度は、一般的な快適湿度より高くなっており、屋内湿度が基準湿度となるように第１室の換気及び通気を行うことにより、洗濯物の乾燥を促進することができる。
【００１５】
請求項３の発明は、請求項１又は請求項２の発明において、前記制御手段は、前記屋内湿度が前記屋外湿度を超えているときに、前記排気手段を作動させると共に、前記屋外扉を開放するように前記屋外側開閉手段を作動させる。
【００１６】
請求項３に記載の発明によれば、屋内湿度が屋外湿度を超えているときに、屋外扉を開放する。これにより、第１室へ入りこむ外気により第１室の湿度を下げることができる。
【００１７】
請求項４の発明は、請求項１又は請求項２の発明において、前記制御手段は、前記屋内湿度が前記屋外湿度以下であるときに、前記屋外扉を閉じるように前記屋外側開閉手段を作動させる。
【００１８】
請求項４に記載の発明によれば、屋内湿度が屋外湿度以下であるときに、屋外扉を閉じる。これにより、外気により第１室の湿度が上昇してしまうのを防止することができる。
【００１９】
請求項５の発明は、請求項１から請求項４の何れか１項の発明において、前記制御手段は、前記屋内湿度が前記基準湿度を超えているときに、前記換気手段を作動させる。
【００２０】
請求項５に記載の発明によれば、屋内湿度が基準湿度より高いときに、換気手段を作動させて、第１室の換気を行う。これにより、第１室の湿度が基準湿度となるように換気が行われる。
【００２１】
請求項６の発明は、請求項１から請求項５の何れか１項記載の発明において、前記制御手段は、前記屋内湿度が前記基準湿度以下であるときに、前記屋内扉を開くように前記屋内側開閉手段を作動させる。
【００２２】
請求項６に記載の発明によれば、第１室の湿度である屋内湿度が基準湿度と同じか、基準湿度より低いときに、屋内扉を開放する。これにより、第１室と第２室との間の通気を行い、第１室及び第２室の湿度を基準湿度に近づけることができる。
【００２３】
請求項７の発明は、請求項１から請求項５の何れか１項記載の発明において、前記制御手段は、前記屋内湿度が前記基準湿度を超えているときに、前記屋内扉を閉じるように前記屋内側開閉手段を作動させる。
【００２４】
請求項７に記載の発明によれば、第１室の湿度が基準湿度より高い場合、屋内扉を閉じた状態とする。これにより、第１室の空気が第２室へ入り込んで第２室の湿度を上昇させてしまうのを防止することができる。
【００２５】
請求項８の発明は、請求項１から請求項７の何れか１項記載の発明において、前記第２室が前記第１室より広い空間とされ、前記第１室と前記第２室との間に衣類が収納される収納室が設けられ、前記屋内扉が、前記第１室と前記収納室との間の位置、及び前記収納室における前記第２室を臨む位置に設けられている。
【００２６】
請求項８に記載の発明によれば、第２室が第１室より広い空間とされており、収納室を介して、第１室と第２室とを繋ぐ。これにより、第２室のみならず、収納室の的確な換気ないし通気が可能となる。
【００２７】
請求項９に係る発明は、請求項１から請求項８の何れか１項記載の発明において、前記屋外扉が、複数のスラットのそれぞれを支軸回りに回動させることにより前記開口部を所定開度に開閉させるシャッタである。
【００２８】
請求項９に記載の発明によれば、屋外扉として複数のスラットを備えた所謂ブラインド式のシャッタを用いる。これにより、留守中に第１室と屋外との間を通気可能としても、確実な防犯が可能となる。
【００２９】
請求項１０の発明は、請求項１から請求項９の何れか１項記載の発明であって、前記制御手段が、前記建物用のエネルギー管理を行う管理装置である。
【００３０】
請求項１０に記載の発明によれば、例えば、建物の一種である住宅において普及しつつあるＨＥＭＳなどの建物用（住宅用）のエネルギー管理システムが設けられているときに、このエネルギー管理システムの管理装置が、制御手段として機能する。これにより、住宅などの建物のエネルギー管理を考慮した換気及び通気が可能となる。
【００３１】
請求項１１の発明は、請求項１から請求項１０の何れか１項記載の発明において、前記第１室の前記開口部が前記建物の南に面した壁面に形成されている。
【００３２】
請求項１１に記載の発明によれば、第１室を建物の南側の部屋としている。これにより、例えば、第１室内に室内乾燥スペースを設けた場合に、第１室に差し込む日差しにより、効率的な室内干しを行うことができる。
【発明の効果】
【００３３】
請求項１に記載の発明によれば、屋内湿度、屋外湿度及び基準湿度に基づいて、第１室の湿度が基準湿度となるように、換気手段、及び屋外扉側閉手段を制御し、屋内湿度及び基準湿度に基づいて屋内側開閉手段を制御することにより、第１室の換気、第１室と屋外との通気、第２室と第１室との通気を行うことができるという効果が得られる。
【００３４】
請求項２に記載の発明によれば、屋内湿度が基準湿度となるように第１室の換気及び通気を行うことにより、洗濯物の乾燥を促進することができるという効果が得られる。
【００３５】
請求項３に記載の発明によれば、第１室へ入りこむ外気により第１室の湿度を下げることができ、また、請求項４に記載の発明によれば、外気により第１室の湿度が上昇してしまうのを防止することができるという効果が得られ、さらに、請求項５に記載の発明によれば、第１室の湿度が基準湿度となるように換気を行うことができるという効果が得られる。
【００３６】
請求項６に記載の発明によれば、第１室と第２室との間の通気を行うことにより、第１室及び第２室の湿度を基準湿度に近づけることができ、請求項７に記載の発明によれば、第１室の空気が第２室の湿度を上昇させてしまうのを防止できるという効果が得られる。
【００３７】
請求項８に記載の発明によればこれにより、第２室のみならず、収納室の的確な換気ないし通気が可能となるという効果が得られる。
【００３８】
請求項９に記載の発明によれば、これにより、留守中に第１室と屋外との間を通気可能としても、確実な防犯が可能となるという効果が得られる。
【００３９】
請求項１０に記載の発明によれば、建物のエネルギー管理を考慮した換気及び通気が可能となり、請求項１１に記載の発明によれば、例えば、第１室内に室内乾燥スペースを設けた場合に、第１室に差し込む日差しにより、効率的な室内干しを行うことができるという効果が得られる。
【図面の簡単な説明】
【００４０】
【図１】本実施の形態に係る住宅の要部の間取り図である。
【図２】通気乾燥システムの制御手段を示す概略構成図である。
【図３】シャッタの概略構成を示す要部の斜視図であり、スラットを開いた状態を示している。
【図４】通気乾燥システムにおける通気制御の概略を示す流れ図である。
【図５】（Ａ）及び（Ｂ）は乾燥優先モードにおける空気の流れを示す住宅の要部の間取り図である。
【図６】（Ａ）及び（Ｂ）は通気優先モードにおける空気の流れを示す住宅の要部の間取り図である。
【図７】制御手段の他の一例を示す概略構成図である。
【発明を実施するための最良の形態】
【００４１】
以下に図面を参照しながら本発明の実施の一形態を説明する。図１には、本実施の形態に係る建物の一例とする住宅１０の要部の間取り図が示されている。なお、住宅としては、公知の一般的構成を適用することができる。
【００４２】
この住宅１０には、玄関１２が設けられ、玄関１２の玄関扉１４を開いて人が出入りされる。住宅１０には、玄関１２内の玄関ホール１６から見た正面にキッチン１８が設けられ、また、玄関ホール１６から見て右手に脱衣室を兼ねた洗面室２０が設けられ、さらに、洗面室２０及び玄関ホール１６に隣接して浴室２２が設けられている。なお、ここでは、玄関１２として説明するが、玄関１２に限らず、例えば、キッチン１８が近いことから、勝手口などとして用いられる出入り口であっても良く、この場合には、当然に玄関が別に設けられる。
【００４３】
住宅１０には、この玄関ホール１６から見て左手にダイニングルームを兼ねたリビングルーム２４が設けられ、リビングルーム２４に隣接して和室２６が設けられている。住宅１０では、キッチン１８とリビングルーム２２とが一つの空間として繋がっていることにより、住宅１０内で大きな容積の空間が形成されている。
【００４４】
また、住宅１０には、玄関ホール１６から見てキッチン１８の先に、家事スペースに用いられると共に、洗濯物の乾燥（室内干し）などの多用途に用いられる多用途室が設けられている。さらに、住宅１０には、この多用途室と洗面室２０との間で、キッチン１８を挟んでリビングルーム２４と反対側に、収納室３０が設けられている。ここで、本実施の形態に適用した住宅１０では、多用途室が乾燥室として用いられる第１室とされ、以下では、乾燥室２８として説明する。
【００４５】
この住宅１０には、洗面室２０、浴室２２、リビングルーム２４、乾燥室２８に小窓３２が設けられ、和室２６及び乾燥室２８の和室２６側に引違窓３４が設けられ、小窓３２及び引違窓３４により明り取りがなされると共に、それぞれを開くことにより通気が可能となっている。
【００４６】
キッチン１８には、リビングルーム２４側に、流し台、調理台及びコンロ台が設けられるフロアキャビネット３６が設置され、収納室３０側の壁面にはトールキャビネット３８が配置されており、フロアキャビネット３６とトールキャビネット３８との間を通れるようになっている。また、キッチン１８と乾燥室２８との間には、屋内扉とされる引戸４０が設けられ、乾燥室２８と収納室３０との間には、折戸４２が設けられ、洗面室２０と収納室３０との間及び洗面室２０のリビングルーム２４側には、引戸４４、４６がそれぞれ屋内扉として設けられている。
【００４７】
乾燥室２８は、引戸４０と折戸４２とが閉じられることより屋内側に対して閉塞された空間となる。また、住宅１０では、引戸４０を開くことにより、リビングルーム２４からキッチン１８を経て乾燥室２８までの空間が繋がり、折戸４２を開くことにより乾燥室２８と収納室３０とが繋がり、また、引戸４４、４６を開くことにより乾燥室２８からリビングルーム２４までが繋がる。
【００４８】
ここで、本実施の形態では、住宅１０のリビングルーム２４を第２室として、リビングルーム２４からキッチン１８を経て乾燥室２８に至る動線と、リビングルーム２４から洗面室２０及び収納室３０を経て乾燥室２８（乾燥室２８から収納室３０及び洗面室２０を経てリビングルーム２４）に至る動線とが形成され、この動線に沿って空気の流動が可能となっている。
【００４９】
収納室３０は、折戸４２及び引戸４４を閉めることにより閉塞された空間となる。また、収納室３０は、中央部が通路となっており、この通路を挟んだ両側の壁面に、ハンガーを吊り下げることができる複数本のハンガーパイプ４８が設けられている。これにより、住宅１０では、収納室３０が、衣類などを吊るして整理、収納、保管可能とする所謂ウォーキングクローゼットとされている。なお、収納室３０内は、ハンガーパイプ４８の上方又は下方に棚や引出しなどが設けられた任意の構成を適用することができる。
【００５０】
このウォーキングクローゼットとして用いられる収納室３０に隣接する乾燥室２８には、洗濯機５０が設置される。また、住宅１０は、この乾燥室２８が、例えば、略南西の角隅部とされており、一方の面が略南側に面するように建てられている。
【００５１】
乾燥室２８の南側の壁部５２には、屋外側との間に開口部が形成され、この開口部に屋外扉として引違戸５４が設けられている。乾燥室２８は、この引違戸５４を開けることにより、屋外へ向けて大きく開放され、乾燥室２８から屋外への出入りが可能となる。また、引違戸５４はガラス戸とされており、これにより、乾燥室２８内が良好な日差しが入り込むようにされている。
【００５２】
一般に、洗濯物を屋外に干す場合、物干し場は、日当たりの良い住宅１０の南側とされることが多く、乾燥室２８を南側に設けて引違戸５４を設けていることにより、洗濯から物干しまでの作業が効率良く行える。また、住宅１０は、乾燥室２８に隣接して収納室３０が設けられていることにより、洗濯物の取り込みから収納までの作業の効率化が図られる。
【００５３】
なお、本実施の形態では、乾燥室２８に引違戸５４を設けているが、例えば、物干し場が２階のベランダなどにある場合には、屋外への出入りが不要であるので、引違戸などの戸に代えて引違窓などの窓を設けるなど、採光及び通風が可能であれば任意の構成を適用することができる。
【００５４】
住宅１０では、この乾燥室２８に、物干しスペース５６が設けられている。この物干しスペース５６は、引違戸５４の内方側とされ、引違戸５４のガラスを透過して日差しが差し込むようになっている。また、物干しスペース５６には、例えば、物干しパイプ５８が取り付けられ、この物干しパイプ５８に、洗濯物を吊るしたハンガー６０などが掛けられる。
【００５５】
これにより、引違戸５４を開けているときは勿論、引違戸５４を閉めているときにも物干しパイプ５８に吊り下げた洗濯物を効率よく乾かすことができ、例えば、留守にするときに天候が不安なために屋外に洗濯物を干すことができない場合などでも、乾燥室２８で所謂室内干しをすることができる。なお、物干しパイプ５８としては、洗濯物を掛けて干すことができれば、任意の構成を適用することができる。また、物干しパイプ５８は、取り外し可能として、不要なときには外して片付けておくことができるものであっても良い。
【００５６】
この乾燥室２８には、換気手段を形成する換気扇６２が設置されている。この換気扇６２は、例えば、物干しスペース５６の天井に形成した開口（吸気口）に換気ファンが取り付けられ、換気ファンと外壁に形成した排気孔６４とがダクト６６で連通された所謂天井換気扇とすることができる。
【００５７】
これにより、換気扇６２が作動することにより、乾燥室２８内の排気が可能となる。このとき、換気扇６２は、物干しスペース５６に干した洗濯物から発せられた水分を含んだ空気を屋外に排出して、洗濯物の乾燥を促進させることができる。なお、換気手段としては、少なくとも乾燥室２８内の空気を排出可能とする換気機能を含むものであれば良く、天井換気扇に限らず、壁付け型などの任意の構成の換気扇を適用することができる。また、換気手段としては、換気機能のみならず吸気機能を備えて給排気を行うものであってもよく、さらに、ヒータ等によって加熱した温風を吹き出す構成であってもよく、除湿機能を合わせ持つ構成であっても良い。
【００５８】
ところで、住宅１０には、乾燥室１８を用いた通気乾燥システム７０が形成されている。図２には、通気乾燥システム７０の概略構成が示されている。この通気乾燥システム７０は、ＣＰＵ、ＲＯＭ、ＲＡＭ等がバスにより接続されたマイクロコンピュータ及び、各種の入出力インターフェイス、駆動回路等を備えた一般的構成のコントローラ７２が設けられ、このコントローラ７２により作動が制御される。
【００５９】
通気乾燥システム７０は、各種の入力用のスイッチ及び動作状態を表示するディスプレイ等を備えた操作パネル７４を備え、この操作パネル７４が、コントローラ７２に接続されている。この操作パネル７４は、例えば、キッチン１８の壁面などの任意の位置に取り付けられる。
【００６０】
また、コントローラ７２には、前記した換気扇６２の換気ファンを駆動するファンモータ７６が接続されている。これにより、通気乾燥システム７０では、例えば、操作パネル７４の図示しないスイッチ操作より換気扇６２のオン／オフが可能であると共に、操作パネル７４のスイッチ操作にかかわらず、コントローラ７２による換気扇６２の作動制御が可能となっている。
【００６１】
一方、図１に示されるように、住宅１０には、乾燥室２８内に屋内湿度検出手段とされる屋内湿度センサ７８が設けられている。屋内湿度センサ７８は、例えば、乾燥室２８の天井から吊り下げられるか、物干しパイプ５８に取り付けられて、物干しパイプ５８に掛けられた洗濯物の近傍の湿度を検出する。
【００６２】
また、住宅１０には、屋外の湿度を検出する屋外湿度センサ８０が設けられている。この屋外湿度センサ８０は、例えば、外壁面の軒下などで、雨の当たることがない場所に取り付けられる。
【００６３】
図２に示されるように、屋内湿度センサ７８及び屋外湿度センサ８０は、コントローラ７２に接続されている。これにより、コントローラ７２は、屋外の湿度Ｈｏの検出が可能となっていると共に、乾燥室２８内の湿度Ｈｉの検出が可能となっている。
【００６４】
ここで、乾燥室２８内に洗濯物が干されているときには、コントローラ７２が洗濯物の近傍で湿度Ｈｉを検出することにより、洗濯物が未乾燥か否かの判定が可能となっている。すなわち、洗濯物が乾燥するときには、洗濯物の周囲の空気の湿度が高くなっており、例えば、湿度が６５％以上であれば乾燥途中であり、未乾燥状態であると判定することができる。
【００６５】
なお、本実施の形態では、屋内湿度センサ７８を、洗濯物の近傍で湿度を検出するようにしているが、これに限らず、洗濯物の有無にかかわらず乾燥室２８内の湿度を検出する構成であっても良い。また、洗濯物が未乾燥状態であるか否かの判断は、実質的に乾燥が進行しないと判断される湿度であれば、上記湿度に限るものではない。
【００６６】
一方、住宅１０では、キッチン１８と乾燥室２８との間の引戸４０を開くか、折戸４２と共に引戸４４、４６を開くことにより、乾燥室２８と、乾燥室２８よりも広い空間であるリビングルーム２４とが繋がり、リビングルーム２４と乾燥室２８との間で空気の流動（通気）が可能となる。さらに、乾燥室２８の引違戸５４を開けることにより、乾燥室２８のみならず、リビングルーム２４の換気及び通気が可能となる。
【００６７】
ここから、通気乾燥システム７０が設けられる住宅１０では、引戸４０又は、折戸４２と引戸４４と引戸４６の少なくとも一方が電動式とされている。なお、本実施の形態では、一例として引戸４０、４４、４６のそれぞれと折戸４２とを電動式として説明する。
【００６８】
コントローラ７２には、引戸４０を開閉するモータ８２、折戸４２を開閉するモータ８４及び、引戸４４、４６を開閉するモータ８６、８８が接続されている。住宅１０では、電動式とされた引戸４０、４４、４６及び折戸４２のそれぞれについて、通常は、人が開け閉めすることができ、また、コントローラ７２が、モータ８２〜８８を駆動することによっても開け閉めが可能となっている。なお、このような引戸４０、４４、４６及び折戸４２の開閉機構は、公知の構成を適用でき、ここでは詳細な説明を省略する。
【００６９】
また、図１に示されるように、住宅１０には、引違戸５４の屋外側にシャッタ９０が設けられている。図３に示されるように、住宅１０には、壁部５２の屋外側に、引違戸５４を挟んでガイドレール９２が対で取り付けられている。また、壁部５２には、引違戸５４の上方にシャッタボックス９４が取り付けられている。
【００７０】
シャッタボックス９４内には、シャッタパネル９６が巻き取られて収容されており、シャッタモータ９８（図２参照）が動作されることにより、シャッタパネル９６がガイドレール９２に沿って下降されることにより、シャッタパネル９６が引違戸５４の全面を覆う。また、シャッタ９０は、シャッタパネル９６が下降されている状態でシャッタモータ９８が作動されることにより、シャッタパネル９６がシャッタボックス９４内に巻き上げられ、引違戸５４の全面を開放する。
【００７１】
また、シャッタ９０のシャッタパネル９６は、帯板状の多数のスラット１００により形成されている。スラット１００のそれぞれは、長手方向が水平方向とされて上下方向に沿って配列されている。スラット１００は、長手方向の両端部がガイドレール９２内で連結されて一体で上下移動可能とされ、かつ、水平方向が軸方向とされた回動が可能となっている。
【００７２】
また、シャッタ９０には、スラット１００のそれぞれを回動するスラットモータ１０２（図２参照）が設けられており、このスラットモータ１０２が作動されることにより、スラット１００が回動される。
【００７３】
スラット１００は、幅方向が上下方向とされることにより、隣接するスラット１００との間の隙間が埋められ、これによりシャッタパネル９６が閉状態（スラット１００の閉状態）となるが、幅方向が水平方向となるように回動されることにより、スラット１００の間に所定幅の開口が形成されて格子状となり、空気の通過が可能となる（以下、スラット１００の開状態とする）、所謂ブラインド機能を備えている。また、シャッタ９０は、スラット１００の間隔が所定の狭い間隔で設けられており、スラット１００の開状態であっても人は勿論、鳥などの小動物の侵入が不可能となる、所謂防犯シャッタ機能を合わせ持っている。
【００７４】
なお、このシャッタ９０としては、例えば、スラット１００の回転軸となる図示しないシャフトを金属等により強固に形成し、帯状の本体を光透過性の樹脂などで形成され、これにより、スラット１００の閉状態であっても乾燥室２８への採光が可能となる。
【００７５】
図２に示されるように、コントローラ７０には、シャッタ９０のシャッタモータ９８及びスラットモータ１０２が接続されており、コントローラ７２は、シャッタ９０の作動の制御を行う。すなわち、操作パネル７４の図示しないスイッチ操作によりシャッタパネル９６の昇降及びスラット１００の開閉が可能となっている。また、シャッタ９０は、コントローラ７２によりスラット１００の回動が制御される。
【００７６】
これにより、通気乾燥システム７０では、引違戸５４が開かれていると、シャッタ９０のスラット１００の開閉により乾燥室２８内の換気及びリビングルーム２４等の通気が可能となっている。
【００７７】
ここで、通気乾燥システム７０では、コントローラ７２が、湿度Ｈｉ、Ｈｏ及び予め設定された基準湿度Ｈｃに基づいて、換気扇６２の作動、引戸４０、４４、４６並びに折戸４２の開閉、及びシャッタ９０のスラット１００の開閉操作を行う。
【００７８】
以下に、本実施の形態の作用として、通気乾燥システム７０の動作を説明する。通気乾燥システム７０では、乾燥室２８内に洗濯物を干したときの洗濯物の乾燥を優先する乾燥優先モードと、乾燥室２８及びリビングルーム２４の通気を優先する通気優先モードが設定されており、操作パネル７４のスイッチ操作によりいずれかのモードが選択される。
【００７９】
また、通気乾燥システム７０では、乾燥室２８内の基準湿度Ｈｃが設定されている。
【００８０】
人が快適と感じる湿度（快適湿度。湿度は、相対湿度ＲＨ、以下、単に湿度とする。）は、年齢（幼児か老人か）、体調、気温によっても異なるが、一般に湿度４０％以上で、かつ、湿度６５％〜７０％以下とされている。また、洗濯物を乾燥する場合、洗濯物近傍の湿度が６５％を超えていると、洗濯物の乾燥が進まない。
【００８１】
ここから、通気乾燥システム７０では、一例として快適湿度を基準湿度Ｈｃとし、この基準湿度Ｈｃのデフォルト値を５０％（Ｈｃ＝５０％）に設定しており、このデフォルト値は、洗濯物の乾燥途中における洗濯物の近傍の湿度より低くしている。
【００８２】
また、快適湿度には個人差があり、ここから、通気乾燥システム７０では、操作パネル７４のスイッチ操作により居住者が、基準湿度Ｈｃを任意に設定することができる。このときには、乾燥途中の洗濯物近傍の湿度より低い湿度であり、かつ、人が快適と感じる範囲の湿度であれば良い。
【００８３】
通気乾燥システム７０は、例えば、乾燥室２８の引違戸５４を開け、シャッタ９０を降ろした状態で、留守中に作動されるように操作される。このとき、シャッタ９０を降ろしていることにより、引違戸５４を開けていても、確実な防犯が可能となる。
【００８４】
図４には、このときの処理の概略を示している。このフローチャートは、通気乾燥システム７０の運転開始が指示されると、予め設定した時間間隔で実行され、最初のステップ２００で、動作モードが乾燥優先モードとされているか否かを確認する。すなわち、通気乾燥システム７０の動作モードが、乾燥優先モードに設定されているか通気優先モードとされているかを確認する。
【００８５】
ここで、乾燥室２８に洗濯物を干して外出する場合には、乾燥優先モードに設定されていることになり、ステップ２００で肯定判定されてステップ２０２へ移行する。洗濯物の乾燥途中では、湿度Ｈｉが基準湿度Ｈｃより高くなっており、ここから、ステップ２０２では、換気扇６２を作動させて乾燥室２８内の換気（排気）を行う。また、ステップ２０４では、モータ８２，８４を作動させて、引戸４０及び折戸４２を閉じる。なお、引戸４０及び折戸４２が開いているか否かを確認し、開いている場合に閉じるようにしても良い。
【００８６】
この後、ステップ２０６では、屋内湿度センサ７８により検出される乾燥室２８内の湿度Ｈｉを読み込むと共に、屋外湿度センサ８０により検出される屋外の湿度Ｈｏを読み込む。次のステップ２０８では、屋外の湿度Ｈｏが、屋内（乾燥室２８内）の湿度Ｈｉより低いか否かを確認する。ここで、乾燥優先モードにおいては、洗濯物の乾燥を行うため、屋内湿度センサ７８により検出される湿度Ｈｉは、基準湿度Ｈｃより高くなっている。
【００８７】
これにより、屋外の湿度Ｈｏが屋内の湿度Ｈｉより低いと（Ｈｏ＜Ｈｉ）、ステップ２０８で肯定判定してステップ２１０へ移行する。このステップ２１０では、スラットモータ１０２を作動させて、シャッタ９０のスラット１００を開く。これにより、図５（Ａ）に示されるように、シャッタ９０のスラット１００の間から、湿度の低い屋外の空気が乾燥室２８内に導入され、洗濯物の乾燥が促進される。また、引戸４０及び折戸４２が閉じられていることにより、比較的湿度の高い乾燥室２８内の空気が、リビングルーム２４や収納室に３０へ流れ出てしまうのが防止される。
【００８８】
一方、屋内湿度センサ７８は、洗濯物の近傍で湿度Ｈｉを検出しており、この状態であっても、屋外の湿度Ｈｏが、湿度Ｈｉより高くなっている（Ｈｏ＞Ｈｉ）と、ステップ２０８で否定判定してステップ２１２へ移行する。
【００８９】
このステップ２１２では、シャッタ９０のスラット１００を閉じる（スラット１００が開いている場合、スラットモータ１０２を作動させてスラット１００を閉じる）。これにより、引違戸５４が開いていても、屋外の高湿度の空気が乾燥室２８内に入るのがシャッタ９０によって防止され、図５（Ｂ）に示されるように、乾燥室２８内の空気が換気扇６２により排出される。
【００９０】
洗濯物を乾燥する場合、洗濯物の周囲の湿度が例えば６５％を越えると乾き難くなり、屋外の高湿度の空気が乾燥室２８内に入り込むと、洗濯物の乾燥が遅れる。このときに、シャッタ９０のスラット１００を閉じることにより、洗濯物の乾燥に遅れが生じたり、生乾きのままとなってしまうのを防止できる。
【００９１】
このように、通気乾燥システム７０では、乾燥室２８内で洗濯物の乾燥が行われる場合、引戸４０及び折戸４２を閉じて、乾燥室２８内の空気が住宅１０内の他の部屋へ流れるのを防止し、換気扇６２により乾燥室２８内の空気を排出する。
【００９２】
通気乾燥システム７０では、好天時や、比較的湿度が低い冬場などでは、乾燥室２８内の湿度Ｈｉの湿度より低く、快適湿度に近い屋外の空気が乾燥室２８内に入るようにシャッタ９０のスラット１００を開け、換気扇６２の排気効率を向上させ、洗濯物の乾燥を促進させることができる。
【００９３】
また、通気乾燥システム７０では、梅雨時などで、屋外の湿度Ｈｏが高くなっているときに、シャッタ９０のスラット１００が閉じられるため、梅雨時に、洗濯物の室内干しをしても、洗濯物の乾燥が遅れてしまうのを防止することができる。
【００９４】
図４のフローチャートのステップ２１４では、洗濯物の乾燥が終了したか否かを確認する。この洗濯物の乾燥が終了したか否かの確認は、湿度Ｈｉが予め設定した湿度（例えば、基準湿度Ｈｃ）まで下がったか否かで判断してもよく、また、予め設定した時間が経過し、かつ、湿度Ｈｉが洗濯物の乾燥途中であると判断される湿度（例えば、６５％以下で設定した湿度）より下がったか否かなどの任意の方法で判断することができる。
【００９５】
ここで、乾燥が終了すると、ステップ２１４で肯定判定して通気優先モードへ移行する。なお、ここでは、洗濯物が乾燥したと判断された場合、通気優先モードへ移行するようにしているが、これに限らず、換気扇６２の運転を終了し、シャッタ９０のスラット１００を閉じるようにしても良い。この場合、乾燥優先モードでの運転を、タイマーによって予め設定した時間だけ行うようにしても良い。
【００９６】
一方、乾燥室２８内で洗濯物の乾燥をしていない場合、通気優先モードが選択され、ステップ２００で否定判定されてステップ２１６へ移行する。このステップ２１６では、屋内の湿度Ｈｉ及び屋外の湿度Ｈｏを読み込み、次のステップ２１８では、湿度Ｈｉが屋外の湿度Ｈｏより高いか否かを確認する。
【００９７】
ここで、湿度Ｈｉが湿度Ｈｏより低い場合には、ステップ２１８で否定判定してステップ２２０へ移行し、シャッタ９０のスラット１００を閉じて、乾燥室２８内の湿度が高くなるのを防止する。
【００９８】
これに対して、乾燥室２８内の湿度Ｈｉが屋外の湿度Ｈｏより高い場合には、ステップ２１８で肯定判定してステップ２２２移行する。このステップ２２２では、スラットモータ１０２を作動させてシャッタ９０のスラット１００を開き、乾燥室２８内に通気して湿度Ｈｉの低下を図る。
【００９９】
また、ステップ２２４では、湿度Ｈｉが基準湿度Ｈｃに達しているか、基準湿度Ｈｃより低くなっているか否かを確認する。このときに、湿度Ｈｉが基準湿度Ｈｃを超えている（Ｈｉ＞Ｈｃ）と、ステップ２２４で否定判定してステップ２２６へ移行し、引戸４０及び折戸４２を閉じた状態に維持する。これにより、図６（Ａ）に示されるように、基準湿度Ｈｃより高い湿度の空気がリビングルーム２４や収納室３０に流れるのが防止される。また、図４のステップ２２８では、換気扇６２を作動させて、乾燥室２８内の空気を排出して、湿度Ｈｉの低下を図る。このときに、シャッタ９０のスラット１００が開かれていれば、乾燥室２８内に外気が流れ込み、シャッタ９０のスラット１００が閉じられていれば、外気の導入が抑えられる。なお、このステップ２２８を省略して、換気扇６２を停止状態としても良い。
【０１００】
また、湿度Ｈｉが基準湿度Ｈｃに達しているか又は、基準湿度Ｈｃより低くなっているとき（Ｈｉ≦Ｈｃ）には、ステップ２２４で肯定判定してステップ２３０へ移行する。このステップ２３０では、屋内扉を開く。すなわち、モータ８２を駆動して引戸４０を開くか、モータ８４〜８８を作動させて、折戸４２及び引戸４４、４６を開く。また、ステップ２３２では、換気扇６２を停止状態とする。
【０１０１】
これにより、図６（Ｂ）に示されるように、引戸４０を開いた場合、及び折戸４２と引戸４４、４６を開いた場合、乾燥室２８とリビングルーム２４との間での通気が可能となり、このときに、外気の湿度Ｈｏが低く、シャッタ９０のスラット１００が開かれていれば、リビングルーム２４へ通気がなされる。また、折戸４２と引戸４４、４６を開くことにより、収納室３０内も通気される。
【０１０２】
なお、ここでは、引戸４０と共に折戸４２、引戸４４、４６を開くようにしているが、何れか一方のみを開くようにしても良い。例えば、何れを開くかを予め設定しておいてもよく、また、乾燥優先モードから通気優先モードに移行した場合に、乾燥室２８内に洗濯物があることから折戸４２、引戸４４、４６を開き、乾燥優先モードを経ずに通気優先モードが実施された場合に、引戸４０を開くようにしても良い。
【０１０３】
また、屋外の湿度Ｈｏが湿度Ｈｉより高く、シャッタ９０のスラット１００が閉じられている場合には、換気扇６２を運転しても良い。これにより、乾燥室２８の空気が屋外に排出されることから、リビングルーム２４と乾燥室２８との間で通過がなされ好ましい。
【０１０４】
一方、図４のステップ２３４では、通気乾燥システム７０の運転を終了するか否かを確認する。例えば、帰宅した居住者が運転スイッチをオフすることにより、運転終了と判断される。また、予めタイマー等により運転時間や、運転停止時刻が設定されている場合、設定された運転時間が経過するか、設定された運転停止時刻に達することにより運転終了と判断される。
【０１０５】
このときには、ステップ２３４で肯定判定されてステップ２３６へ移行し、終了動作を行う。このとき、換気扇６２が運転されていれば、換気扇６２の運転を停止し、スラット１００が開いていれば、このスラット１００を閉じる。
【０１０６】
このように、通気乾燥システム７０では、湿度Ｈｉ、湿度Ｈｏ及び基準湿度Ｈｃに基づいて、乾燥室２８内の湿度の上昇を抑制し、乾燥室２８内の湿度が低いと、乾燥室２８とリビングルーム２４との間で通気が行われるようにすることにより、留守中であっても、住宅１０内の湿度を快適湿度に近づけるか、少なくとも湿度が上昇してしまうのを防止することができる。
【０１０７】
したがって、帰宅したときに、リビングルーム２４内の湿度が高いことにより不快と感じてしまうのを抑制することができる。
【０１０８】
また、洗濯物の乾燥を行った後、通気優先モードへ移行し、運転終了時に折戸４２が開いていることにより、乾燥室２８と収納室３０との間の動線が確保され、折戸４２を開ける動作を行うことなく、乾燥した洗濯物（衣類）を収納室３０内に運んで収納することができる。
【０１０９】
なお、ここでは、引戸４０及び折戸４２と引戸４４、４６を開いて、２系統で通気可能となるようにしたが、何れか少なくとも一方の系統のみが開かれる構成であっても良い。例えば、引戸４０を開閉するようにした場合、引戸４４、４６を開閉する構成は不要とすることができる。このとき、折戸４２は開閉される構成であることが好ましく、これにより、洗濯物の片付けが容易となると共に、誤って折戸４２を開けて外出した場合にも、収納室３０内の湿度が高くなってしまうのを防止することができる。
【０１１０】
一方、通気乾燥システム７０におけるシャッタ９０のスラット１００の開閉は、季節を考慮して行われることが好ましい。この場合、コントローラ７２は、タイマー機能及びカレンダ機能を備え、月日や時刻の判定が可能であれば良い。
【０１１１】
ここで、例えば、夏季（例えば、６月から９月までの比較的気温の高い期間）や、冬季（例えば、１１月から３月までの比較的気温の低い期間）では、通気優先モードで動作するときに、シャッタ９０のスラット１００を開くのを禁止する（ステップ２２２を省略）。
【０１１２】
また、夏季の初めや終わりの時期（例えば、６月、９月頃）であれば、比較的温度の低い夜間や、冬季の始まりや終わりの頃（例えば１１月、３月頃）であれば比較的温度の高い日中では、シャッタ９０のスラット１００が開かれるようにしても良い（ステップ２２２を実行）。
【０１１３】
これにより、住宅１０内を適切に通気でき、家具や衣類の傷み防止、リビングルーム２４に臭いのこもりが生じるのを防止できるなどの通気による効果が得られる。
【０１１４】
なお、住宅１０では、シャッタ９０を設けたが、シャッタ９０を設けずに引違戸５４を電動式としても良い。このときには、引違戸５４の外側に、格子を設置するなどして、引違戸５４を開いたときにも確実な防犯がなされるものであれば良い。
【０１１５】
さらに、本実施の形態では、通気乾燥システム７０が単独で動作するように説明したが、本発明は、これに限らず、住宅１０に設けられる他のシステムと連動して動作するものであっても良い。
【０１１６】
図７には、その一例とする通気乾燥システム７０Ａの概略構成が示されている。この通気乾燥システム７０Ａが設けられる住宅１０には、ＨＥＭＳ（Home  Energy  Management  System）１１０が設置されている。
【０１１７】
通気乾燥システム７０Ａでは、操作パネル７４が省略され、コントローラ７２Ａが、ＨＥＭＳ１１０の管理装置１１２に接続されている。この管理装置１１２には、各種の設定操作が行われると共に動作情報などの各種の情報が表示されるディスプレイを備えた操作表示部１１４が設けられている。
【０１１８】
また、管理装置１１２は、例えば、系統電源、発電装置、蓄電池等の電力供給系統を制御する機能、住宅１０で使用する電力を管理する機能を備えている。この管理装置１１２は、例えば、深夜電力で蓄電池を充電するように制御したり、昼間は発電装置の発電電力や充電された蓄電池の電力を住宅１０内の各種の電気機器へ供給するように制御する発電電力や蓄電電力等の管理、リビングルーム２４等の居室に設けられる空調装置の動作管理、給湯システムの動作管理を含めた住宅１０のエネルギー管理を行う構成は適用できる。
【０１１９】
また、管理装置１１２は、ネットワーク１１６を介して情報管理サーバ１１８に接続されている。管理装置１１２は、必要に応じて管理内容を、情報管理サーバ１１８へ送信する。この情報に基づいて情報管理サーバ１１８から各種の情報が入力されることにより、例えば、住宅１０でのエネルギーの消費状況、エネルギーの消費履歴情報、エネルギー消費の抑制を図るための各種の制御情報などが得られる。このようなＨＥＭＳ１１０の基本構成は、公知の任意の構成を含むことができる。
【０１２０】
ここで、通気乾燥システム７０Ａでは、各種の設定や運転指示が管理装置１１２の操作表示部１１４から入力され、さらに、運転状態が、操作表示部１１４に表示され、動作状態が管理装置１１２で管理される。このときに、管理装置１１２は、通気換気システム７０Ａの動作履歴を記憶する。この動作履歴には、シャッタ９０のスラット１００を開いていたか閉じていたかの開閉状態、屋内扉(引戸４０、折戸４２)の開閉状態、換気扇６２を動作したか否かの換気状態を含む。これにより、居住者は、帰宅後に、動作履歴を操作表示部１１４に表示して確認することができる。
【０１２１】
管理装置１１２は、通気乾燥システム７０の動作状態や、動作履歴などを情報管理サーバ１１８へ送信する。また、管理装置１１２は、情報管理サーバ１１８から、例えば、季節毎の動作履歴を取得し、この動作履歴を含めた乾燥優先モード及び通気優先モードでの運転を行う。
【０１２２】
すなわち、スラット１００の開閉を、屋外の湿度Ｈｏと、この湿度Ｈｏに対して設定している基準とする湿度に基づいて行うときに、春季（例えば、４月、５月）や秋季（例えば、９月の半ばから１０月）では、シャッタ９０のスラット１００が開かれている時間が長ければ、スラット１００を閉じる基準とする湿度を高く設定し、梅雨時や夏季、冬季でスラット１００の開かれている時間が短いときには、スラット１００を閉じる基準とする湿度を低く設定する。
【０１２３】
また、通気乾燥システム７０Ａでは、管理装置１１２が、情報管理サーバ１１８から気象情報を取得し、この気象情報に基づいて、シャッタ９０のスラット１００の開閉を行うようにしてもよく、さらに、スラット１００の開閉に合わせて引戸４０及び折戸４２と引戸４４、４６の開閉を行うようにしても良い。また、管理装置１１８は、空調装置の運転状態を含めて、通気乾燥システム７０Ａの動作制御を行う。
【０１２４】
これにより、住宅１０に対する天候状態に応じた適切な通気を行うことができる。また、空調装置の動作状態を含めて通気を行うことにより、住宅１０内に蓄積された冷気などのエネルギーが、通気により不必要に放出されてしまうのを防止することができる。
【０１２５】
なお、以上説明した本実施の形態では、乾燥室２８で室内干しを行うものとして、乾燥室２８の換気及び乾燥室２８を用いた住宅１０の通気を行うように説明したが、これに限らず、例えば、浴室を乾燥室に適用し、この浴室を用いた乾燥及び通気を行う構成としても良い。さらに、これらに限らず、住宅内で屋外に面する任意の小室とこの小室に繋がる広い空間を有する居室との間の通気に適用することもできる。また、本実施の形態では、同一のフロアで通気を行うようにしているが、これに限らず、階段室を介して下のフロアと上のフロアとの間を含めて通気を行うようにしても良い。
【０１２６】
また、本実施の形態では、建物の一例として住宅１０を用い、住宅用換気システムとする通気乾燥システム１０として説明したが、本発明が適用される建物としては、住宅１０に限らず、任意の構成の建物に適用して建物用換気システムとすることができる。このような本発明が適用される建物としては、任意の構成の住宅であっても良く、また、例えば、コンビニエンスストア、クリーニング店、飲食店などの各種店舗が含まれる建物であってもよく、また、１フロアが複数の空間に仕切られた事務所の建物、工場の建物など、比較的狭い空間（第１室）と比較的広い空間（第２室）とを有する任意の建物に適用することができる。
【符号の説明】
【０１２７】
１０    住宅（建物）
２４    リビングルーム（第２室）
２８    乾燥室（第１室）
３０    収納室（第２室）
４０、４４、４６    引戸（屋内扉）
４２    折戸２０（屋内扉）
５２    壁部
５４    引違戸
５６    物干しスペース
６２    換気扇（換気手段）
７０    通気乾燥システム
７２    コントローラ（制御手段）
７８    屋内湿度センサ（屋内湿度検出手段）
８０    屋外湿度センサ（屋外湿度検出手段）
８２〜８８    モータ（屋内側開閉手段）
９０    シャッタ（屋外扉）
９６    シャッタパネル
１００    スラット
１０２    スラットモータ（屋外側開閉手段）
１１０    ＨＥＭＳ（エネルギー管理システム）
１１２    管理装置
【図１】
0005698031.tif 000002
【図２】
0005698031.tif 000003
【図３】
0005698031.tif 000004
【図４】
0005698031.tif 000005
【図５】
0005698031.tif 000006
【図６】
0005698031.tif 000007
【図７】
0005698031.tif 000008